(57)【要約】【課題】イベントリレーに伴って緊急性の高い放送が急に割り込んだ際に、緊急性の高い放送を放送するチャンネルを自動選局するデジタル放送受信制御装置を提供すること。【解決手段】継続放送サービスが検知された場合に、番組情報取得部１００９は、継続先の番組とその裏番組の番組情報を取得し、臨時番組検知部１０１１は、番組情報取得部１００９が取得した継続先の番組とその裏番組の番組情報と、ＥＰＧデータ管理部１０１０で管理されている過去ＥＰＧデータ上で、継続先の番組の開始時刻と終了時刻において放送する予定になっている番組の番組情報とを比較し、番組情報が一致しない番組（臨時番組）を検知した場合、臨時番組選局部１０１２は、臨時番組開始時刻になると、臨時番組を選局する。【選択図】図１
2011139248.tif 000002
【特許請求の範囲】
【請求項１】
第１のチャンネルで放送中の番組を、前記番組の途中で、前記第１のチャネルとは異なる第２のチャンネルに変更して放送を継続する継続放送サービスを検知する継続放送サービス検知手段と、
前記継続放送サービス検知手段が検知した継続放送サービスに対し、前記第２のチャネルの裏番組の番組情報を取得する番組情報取得手段と、
所定時間前の過去ＥＰＧデータを管理するＥＰＧデータ管理手段と、
前記継続放送サービス検知手段が、前記第１のチャンネルで前記番組を視聴中に継続放送サービスを検知した場合、前記番組情報取得手段が取得した前記裏番組の番組情報と、前記ＥＰＧデータ管理手段によって管理されている前記過去ＥＰＧデータ上で、前記継続放送サービスの開始時刻と終了時刻における番組情報とを比較し、前記過去ＥＰＧデータ上に存在しない臨時番組を検知する臨時番組検知手段と、
前記臨時番組の開始時刻に前記臨時番組を選局する臨時番組選局手段とを備えることを特徴とするデジタル放送受信制御装置。
【請求項２】
選択したチャネルが含まれる周波数のデジタル放送を受信する２つ以上の受信部のうち、視聴に使用されていない空き受信部を管理する空き受信部管理手段と、
前記継続放送サービス検知手段が検知した前記継続放送サービスが、前記第１のチャンネルと前記第２のチャンネルとが互いに異なるトランスポートストリームで放送される継続放送サービスである場合に、前記空き受信部管理手段が管理している前記空き受信部に対し、前記第２のチャンネルが属するサービスを選局する裏サービス選局手段とを備えることを特徴とする請求項１に記載のデジタル放送受信制御装置。
【請求項３】
前記臨時番組の開始時刻に前記臨時番組の裏番組を選局する臨時番組裏番組選局手段と、
前記臨時番組裏番組選局手段により選局された前記裏番組を記録する番組記録手段とを備えることを特徴とする請求項１に記載のデジタル放送受信制御装置。
【請求項４】
前記番組情報は、番組のタイトル名であることを特徴とする請求項１乃至３のいずれかにに記載のデジタル放送受信制御装置。
【請求項５】
前記継続放送サービスは、イベントリレーサービスであることを特徴とする請求項１乃至４のいずれかに記載のデジタル放送受信制御装置。
【発明の詳細な説明】
【技術分野】
【０００１】
本発明は、デジタル放送受信装置において、番組放送の途中で、異なるサービスに変更して当該番組が継続する場合に、緊急性に基づきサービスを変更し、サービスの視聴または記録を制御するデジタル放送受信制御装置に関するものである。
【背景技術】
【０００２】
従来、番組の開始時間が繰り下がった時や、番組放送中に割り込みがあった時、番組が放送時間内に終わらなかった時などに、他のチャンネルで放送が続いて継続されるイベントリレーが、放送局によって提供されている。
【０００３】
図７は、イベントリレーを概念的に示す図である。この図は、１９時から２２時までの間、１０１ｃｈと２０１ｃｈで放送している番組について示している。２０時まで１０１ｃｈで放送される番組「野球中継」が、２０時に２０１ｃｈでの放送に切り替わり（リレーされ）、２０時から１０１ｃｈでは、新たな番組「ドラマ」が開始する。２１時になると、２０１ｃｈでは、「野球中継」が終了し、新たな番組「教養」が開始することを示している。ここで、イベントリレーされるイベント（番組）への切り替えは、例えば、番組が継続することを認知した視聴者のリモコン操作等によって行われる。
【０００４】
このイベントリレーを制御する装置としては、視聴者の視聴履歴を管理する視聴履歴管理テーブルを用いて、視聴者の嗜好性に基づいて、イベントリレー後の画面表示および音声出力を制御するものがあった（例えば、特許文献１参照）。視聴者にとってリレー元の次に同サービスで放送される番組とリレー先の番組とどちらの番組の嗜好性が高いか否かを判断し、この嗜好性の判断結果に基づき決定した画面レイアウトおよび音声出力モードで、画面表示および音声出力していた。また、「番組表示・記録候補選択画面」を視聴中のリレー元番組と共に表示画面に表示し、視聴者がリモコン等の操作によって選択した番組を画面表示および音声出力していた。
【０００５】
また、他の装置としては、リレー元の次に同サービスで放送される番組と、リレー先の番組とを、２つ同時に表示するものがあった（例えば、特許文献２参照）。
【先行技術文献】
【特許文献】
【０００６】
【特許文献１】特開２００２−１７６５９３号公報
【特許文献２】国際公開第２００８／０７５４３３号
【発明の概要】
【発明が解決しようとする課題】
【０００７】
しかしながら、前記従来の構成では、緊急性の高い番組が割り込んでイベントリレーが発生した際に、緊急性の低い番組を視聴することで、緊急性の高い番組を視聴し損ねるという課題があった。特許文献１の技術では、視聴者の嗜好をもとに視聴する番組を決定するため緊急性が高い番組が始まる場合でも嗜好が優先され、緊急性の高い番組を見逃す可能性がある。また、選択画面によって視聴者が番組を選択する場合、どの番組の緊急性が高いかを視聴者自ら判断する必要があり、視聴者の緊急性判断の誤りや、操作の誤りにより、緊急性の高い番組を視聴し損ねる可能性がある。また、特許文献２の技術では、２つの番組を同時に表示する場合、一方の番組に対する音声しか出力されず、緊急性の高い番組を視聴し損ねる可能性がある。
【０００８】
本発明は、前記従来の課題を解決するもので、緊急性の高い番組が割り込んでイベントリレーが発生した際に、緊急性の高い番組を放送するチャンネルを自動選局するデジタル放送受信制御装置を提供することを目的とする。
【課題を解決するための手段】
【０００９】
前記従来の課題を解決するために、本発明のデジタル放送受信制御装置は、第１のチャンネルで放送中の番組を、前記番組の途中で、前記第１のチャネルとは異なる第２のチャンネルに変更して放送を継続する継続放送サービスを検知する継続放送サービス検知手段と、前記継続放送サービス検知手段が検知した継続放送サービスに対し、前記第２のチャネルの裏番組の番組情報を取得する番組情報取得手段と、所定時間前の過去ＥＰＧデータを管理するＥＰＧデータ管理手段と、前記継続放送サービス検知手段が、前記第１のチャンネルで前記番組を視聴中に継続放送サービスを検知した場合、前記番組情報取得手段が取得した前記裏番組の番組情報と、前記ＥＰＧデータ管理手段によって管理されている前記過去ＥＰＧデータ上で、前記継続放送サービスの開始時刻と終了時刻における番組情報とを比較し、前記過去ＥＰＧデータ上に存在しない臨時番組を検知する臨時番組検知手段と、前記臨時番組の開始時刻に前記臨時番組を選局する臨時番組選局手段とを備えることを特徴とする。
【００１０】
本構成によって、緊急性の高い番組が割り込んでイベントリレーが発生した際に、緊急性の高い番組を検知し、緊急性の高い番組を放送するチャネルを自動選局することができる。
【発明の効果】
【００１１】
本発明のデジタル放送受信制御装置によれば、緊急性の高い番組が割り込んでイベントリレーが発生した際に、緊急性の高い番組を放送するチャネルを自動選局することにより、視聴者が緊急性の高い番組を視聴することができる。
【図面の簡単な説明】
【００１２】
【図１】本発明の実施の形態１におけるデジタル放送受信制御装置を備えたデジタル放送受信装置の構成を示すブロック図
【図２】本発明の実施の形態１におけるデジタル放送受信制御装置を備えたデジタル放送受信装置の制御フローを示す図
【図３】本発明の実施の形態２におけるデジタル放送受信制御装置を備えたデジタル放送受信装置の構成を示すブロック図
【図４】本発明の実施の形態２におけるデジタル放送受信制御装置を備えたデジタル放送受信装置の制御フローを示す図
【図５】本発明の実施の形態３におけるデジタル放送受信制御装置を備えたデジタル放送受信装置の構成を示すブロック図
【図６】本発明の実施の形態３におけるデジタル放送受信制御装置を備えたデジタル放送受信装置の制御フローを示す図
【図７】イベントリレーを概念的に示す図
【発明を実施するための形態】
【００１３】
以下本発明の実施の形態について、図面を参照しながら説明する。
【００１４】
（実施の形態１）
図１は、本発明の実施の形態１におけるデジタル放送受信制御装置を備えたデジタル放送受信装置の構成を示すブロック図である。デジタル放送受信装置は、ＴＶ受像機などのＡＶ機器である。また、デジタル放送受信機能を有する携帯電話や、携帯情報端末（ＰＤＡ）、ＰＣ装置などである。
【００１５】
図１において、デジタル放送受信装置１０１は、アンテナ２００１に接続しており、放送局から放送されている番組を受信し、選局した番組の映像・音声を出力する。
【００１６】
デジタル放送受信装置１０１は、受信部１００１、ＴＳデコーダ１００３、ＡＶデコーダ１００５、セクションデコーダ１００６、映像・音声出力部１００７、デジタル放送受信制御装置１１１を備えている。
【００１７】
受信部１００１は、ケーブルを介してアンテナ２００１に接続している。受信部１００１は、アンテナ２００１を介して受信したデジタル放送の中から、所定の周波数の電波を選択的に受信し、復調、エラー訂正等の処理を行い、トランスポートストリームを生成し、ＴＳデコーダ１００３に送出する。以下、トランスポートストリームは、ＴＳと記載する。デジタル放送は、放送局毎に割り振られた周波数のＴＳによって配信される。ＴＳには、複数のサービスが含まれていてもよい。各サービスは、それぞれの番組を放送している。
【００１８】
ＴＳデコーダ１００３は、受信部１００１から送出されるＴＳを、映像ストリーム、音声ストリーム、セクションデータに分離・再構成し、後段のＡＶデコーダ１００５およびセクションデコーダ１００６に送出する。また、ＴＳデコーダ１００３は、記録用のパーシャルＴＳを生成する。
【００１９】
通常、１つのＴＳには、複数の番組の映像、音声、その他のデータが多重化されている。デジタル放送受信装置１０１は、ＴＳから１つのチャンネルを選択するために、ＴＳデコーダ１００３によって分離、再構成されるセクションデータＰＳＩのうち、ＮＩＴ、ＰＡＴ、ＰＭＴを用いて、基本的なチャンネル選局動作を行う。なお、ＰＳＩは、Ｐｒｏｇｒａｍ  Ｓｐｅｃｉｆｉｃ  Ｉｎｆｏｒｍａｔｉｏｎ、ＮＩＴは、Ｎｅｔｗｏｒｋ  Ｉｎｆｏｒｍａｔｉｏｎ  Ｔａｂｌｅ、ＰＡＴは、Ｐｒｏｇｒａｍ  Ａｓｓｏｃｉａｔｉｏｎ  Ｔａｂｌｅ、ＰＭＴは、Ｐｒｏｇｒａｍ  Ｍａｐ  Ｔａｂｌｅである。
【００２０】
ＡＶデコーダ１００５は、ＴＳデコーダ１００３から送出される映像ストリームおよび音声ストリームのデコードを行う。ＡＶデコーダ１００５は、デコードしたデータを、映像・音声出力部１００７に送出する。
【００２１】
映像・音声出力部１００７は、デコードしたデータ（映像データおよび音声データ）を受け取り、ディスプレイに映像データを画面表示し、スピーカーから音声データを出力する。
【００２２】
セクションデコーダ１００６は、ＴＳデコーダ１００３から送出されるセクションデータのデコードを行う。ここでデコードされる主なデータは、前述したＰＳＩの他、社団法人  日本電波産業会ＡＲＩＢ  ＳＴＤ−Ｂ１０「デジタル放送に使用する番組配列情報」で規定される、セクションデータ（それに含まれる記述子等も含む）である。セクションデコーダ１００６は、デコードしたデータを、デジタル放送受信制御装置１１１に送出する。
【００２３】
次に、上記セクションデータのうち、本実施の形態において最も重要なセクションデータであるＥＩＴ（Ｅｖｅｎｔ  Ｉｎｆｏｒｍａｔｉｏｎ  Ｔａｂｌｅ）について説明する。ＥＩＴは各サービス（チャンネル）に含まれるイベント（番組）に関する時系列情報であり、４つのクラスに大別される。
（１）自ＴＳの現在と次のイベント情報（以下、ＥＩＴａ＿ｐｆと記載する）
（２）他ＴＳの現在と次のイベント情報（以下、ＥＩＴｏ＿ｐｆと記載する）
（３）自ＴＳのイベントスケジュール情報（以下、ＥＩＴａ＿ｓｃｈと記載する）
（４）他ＴＳのイベントスケジュール情報（以下、ＥＩＴｏ＿ｓｃｈと記載する）
なお、地上デジタル放送では、ＥＩＴｏ＿ｐｆおよびＥＩＴｏ＿ｓｃｈを送出しない。各ＥＩＴには、主に番組が放送されているチャンネル番号（ｓｅｒｖｉｃｅ＿ｉｄ）、番組の識別番号（ｅｖｅｎｔ＿ｉｄ）、番組の開始時間、番組の継続時間が記述されている。また、ＥＩＴに挿入される記述子の情報として、番組名称、番組のジャンル情報、番組の内容情報、番組を構成する映像や音声のコンポーネントストリームに関する情報が存在する。なお、番組名称は、番組タイトル名や番組サブタイトル名である。番組の内容情報は、出演者や番組の内容紹介である。
【００２４】
ここで、番組名称は、短形式イベント記述子（Ｓｈｏｒｔ  ｅｖｅｎｔ  ｄｅｓｃｒｉｐｔｏｒ）、番組のジャンル情報は、コンテント記述子（Ｃｏｎｔｅｎｔｄｅｓｃｒｉｐｔｏｒ）を使用して、ＥＩＴに挿入する。また、番組の内容情報は、拡張形式イベント記述子（Ｅｘｔｅｎｄｅｄ  ｅｖｅｎｔ  ｄｅｓｃｒｉｐｔｏｒ）を使用する。映像のコンポーネントストリームに関する情報は、コンポーネント記述子（Ｃｏｍｐｏｎｅｎｔ  ｄｅｓｃｒｉｐｔｏｒ）を使用する。音声のコンポーネントストリームに関する情報は音声コンポーネント記述子（Ａｕｄｉｏ  ｃｏｍｐｏｎｅｎｔ  ｄｅｓｃｒｉｐｔｏｒ）を使用する。
【００２５】
デジタル放送受信制御装置１１１は、継続放送サービス検知部１００８、番組情報取得部１００９、ＥＰＧデータ管理部１０１０、臨時番組検知部１０１１、臨時番組線局部１０１２を備えている。
【００２６】
次に、継続放送サービス検知部１００８について示す。
【００２７】
ＴＳデコーダ１００３は、視聴者がある一番組を視聴中、受信中のＴＳからＥＩＴのうち、ＥＩＴａ＿ｐｆ情報を分離して再構成を行い、セクションデコーダ１００６に送出する。継続放送サービス検知部１００８は、セクションデコーダ１００６から、ＥＩＴａ＿ｐｆ情報を受け取る。
【００２８】
継続放送サービス検知部１００８は、受け取った情報を用いて、同じ内容の番組が異なるサービスで継続されるか否かを判断する。例えば、スポーツ中継など、中継の途中で放送が終わり、他のサービスにおいて継続して放送されるか否かを判断する。継続放送サービス検知部１００８は、ＥＩＴａ＿ｐｆに含まれるイベントグループ記述子を用いて、継続放送サービスについての判断を行うことができる。イベントグループ記述子は、同じ内容の番組が他のサービスで継続されるか否かの情報である。
【００２９】
継続放送サービス検知部１００８は、同じ内容の番組が異なるサービスで継続されると判断した場合に、継続放送サービスを検知したことになり、検知した継続放送サービスに関する番組の情報（継続先の番組の情報）を、番組情報取得部１００９に送出する。継続先の番組の情報とは、チャンネル番号と番組の識別番号などである。
【００３０】
次に、番組情報取得部１００９について示す。
【００３１】
ＴＳデコーダ１００３は、視聴者がある一番組を視聴中、受信中のＴＳからＥＩＴのうち、ＥＩＴａ＿ｐｆ情報を分離して再構成を行い、セクションデコーダ１００６に送出する。番組情報取得部１００９は、セクションデコーダ１００６から、ＥＩＴａ＿ｐｆ情報を受け取る。
【００３２】
番組情報取得部１００９は、セクションデコーダ１００６から受け取った情報と、継続放送サービス検知部１００８から受け取った継続先の番組の情報をもとに、継続先の番組およびその裏番組の番組情報を取得する。なお、裏番組とは、同時刻に他のサービスで放送されている番組を示す。また、番組情報とは、番組タイトル名、番組サブタイトル名、番組のジャンル情報、番組の内容情報などである。
【００３３】
次に、ＥＰＧデータ管理部１０１０について示す。
【００３４】
既存のデジタル放送受信装置では、一般的に、各サービスに関するＥＩＴをスタンバイ時などに取得しておき、全サービスにおける現時刻から一定時間先までのＥＰＧデータを構築する。また、ＥＰＧデータはＥＩＴが更新されるたびに新規のものに書き換えられ更新していく。ＥＰＧデータとは、具体的には、各サービスと各時刻における、番組タイトル名、番組サブタイトル名、番組のジャンル情報、番組の内容情報などである。
【００３５】
ＴＳデコーダ１００３は、受信される各ＴＳからすべてのクラスのＥＩＴ情報を分離、再構築し、セクションデコーダ１００６に送出する。ＥＰＧデータ管理部１０１０は、セクションデコーダ１００６から、ＥＩＴ情報を受け取る。
【００３６】
ＥＰＧデータ管理部１０１０は、受け取ったＥＩＴ情報を用いて最新の内容に更新された現在ＥＰＧデータと、一定時間前に構築されていた過去ＥＰＧデータとを、二重に保持する。
【００３７】
次に、臨時番組検知部１０１１について示す。
【００３８】
臨時番組検知部１０１１は、番組情報取得部１００９から、継続先の番組とその裏番組の番組情報（例えば番組タイトル名）を受け取る。これら番組情報は、最新の情報である。
【００３９】
臨時番組検知部１０１１は、ＥＰＧデータ管理部１０１０で管理されている過去ＥＰＧデータ上で、継続先の番組の開始時刻と終了時刻において放送する予定になっている番組の番組情報を取得する。つまり、臨時番組検知部１０１１は、継続先の番組とその裏番組が属するサービスで放送される番組の番組情報を取得する。これら番組情報は、過去ＥＰＧデータに対応した、過去の情報である。
【００４０】
臨時番組検知部１０１１は、これらそれぞれの番組情報を比較し、継続先の番組とその裏番組の番組情報と一致しないものがあるかどうかを判定し、一致しない番組を臨時番組として検知する。つまり、臨時番組検知部１０１１は、継続先の番組の開始時刻と終了時刻における、過去ＥＰＧデータ上での放送予定の番組を抽出し、この抽出した番組の中で、番組タイトル名と一致しない番組を、臨時番組として検出する。臨時番組検知部１０１１は、臨時番組選局部１０１２に、臨時番組の情報を通知する。なお、臨時番組選局部１０１２に通知する情報は、臨時番組の開始時刻と、臨時番組のチャンネル番号などの情報である。
【００４１】
次に、臨時番組選局部１０１２について示す。
【００４２】
臨時番組選局部１０１２は、臨時番組検知部１０１１から臨時番組の情報（開始時刻とチャンネル番号などの情報）を取得し、臨時番組開始時刻になると、受信部１００１に対し、臨時番組を放送するチャネルを選局する指示を出し、受信部１００１は、臨時番組を放送するチャンネルに相当する周波数を設定する。これにより、デジタル放送受信装置１０１は、臨時番組を受信することになる。
【００４３】
かかる構成によれば、デジタル放送受信制御装置１１１は、まず、継続放送サービス検知部１００８が、継続放送サービスを検知する。継続放送サービスが検知された場合、番組情報取得部１００９が、継続先の番組とその裏番組の番組情報を取得する。次に、臨時番組検知部１０１１は、番組情報取得部１００９が取得した継続先の番組とその裏番組の番組情報と、ＥＰＧデータ管理部１０１０で管理されている過去ＥＰＧデータ上で、継続先の番組の開始時刻と終了時刻において放送する予定になっている番組の番組情報とを、比較する。番組情報が一致しない番組（臨時番組）を検知した場合、臨時番組選局部１０１２は、臨時番組開始時刻になると、臨時番組を放送するチャネルを選局することができる。
【００４４】
これによって、緊急性の高い番組が割り込んでイベントリレーが発生した際に、緊急性の高い番組を放送するチャネルを自動選局することができ、視聴者が操作することなく、緊急性の高い番組を視聴することが可能となる。
【００４５】
図２は、本発明の実施の形態１におけるデジタル放送受信制御装置を備えたデジタル放送受信装置の制御フローを示す図である。
【００４６】
図２において、まず、受信部１００１が、アンテナを介してデジタル放送を受信し、処理を開始する。
【００４７】
ＴＳデコーダ１００３は、受信部１００１から送出されるＴＳを、セクションデータ（ＥＩＴ）に分離し、セクションデコーダ１００６が、ＥＩＴをデコードして、ＥＰＧデータ管理部１０１０に送出する。ＥＰＧデータ管理部１０１０は、受け取ったＥＩＴを用いて、ＥＰＧデータを構築することで、各サービスのＥＰＧデータを取得する（ステップＳ５００１）。ＥＰＧデータ管理部１０１０は、現時刻以降の最新の内容に更新された現在ＥＰＧデータと、一定時間前に構築されていた過去ＥＰＧデータとを、保持する。
【００４８】
次に、ＴＳデコーダ１００３は、受信中のＴＳからＥＩＴのうち、ＥＩＴａ＿ｐｆを取得し、セクションデコーダ１００６へ送出する。セクションデコーダ１００６は、受け取ったＥＩＴａ＿ｐｆをデコードし、継続放送サービス検知部１００８と番組情報取得部１００９に送出する（ステップＳ５００２）。
【００４９】
継続放送サービス検知部１００８は、受け取ったＥＩＴａ＿ｐｆを用いて、イベントグループ記述子があるかどうかを判別する（ステップＳ５００３）。継続放送サービス検知部１００８は、イベントグループ記述子がある場合に（ステップＳ５００３がＹ）、イベントリレーが起こると判断し、ステップ５００４に遷移する。一方、イベントグループ記述子がない場合（ステップＳ５００３がＮ）、ステップＳ５００２の処理に戻り、処理を繰り返す。
【００５０】
継続放送サービス検知部１００８は、イベントグループ記述子に記述されているリレー先番組の情報（継続先の番組の情報）を、番組情報取得部１００９に送出する。番組情報取得部１００９は、セクションデコーダ１００６から受け取った情報と、継続放送サービス検知部１００８から受け取った情報をもとに、リレー先番組およびリレー先番組の裏番組の番組情報を取得する（ステップＳ５００４）。なお、ここでは、番組情報として、番組タイトル名を取得するものとする。
【００５１】
臨時番組検知部１０１１は、番組情報取得部１００９から、リレー先番組およびリレー先番組の裏番組の番組タイトル名を受け取る。次に、臨時番組検知部１０１１は、ＥＰＧデータ管理部１０１０で管理されている過去ＥＰＧデータ上で、リレー先番組の開始時刻と終了時刻において放送する予定になっている番組の番組情報（番組タイトル名）を取得する。臨時番組検知部１０１１は、番組情報取得部１００９から受け取った番組タイトル名と、過去ＥＰＧデータ上の番組タイトル名とを比較する（Ｓ５００５）。
【００５２】
比較した結果、リレー先番組とリレー先番組の裏番組の番組タイトル名とで、全てが一致する場合（ステップＳ５００６がＮ）、臨時番組検知部１０１１は、臨時番組は放送されないと判断し、処理を終了する。
【００５３】
一致しない番組がある場合（ステップＳ５００６がＹ）、臨時番組検知部１０１１は、一致しない番組を臨時番組と判断し、臨時番組選局部１０１２に通知する。臨時番組選局部１０１２は、臨時番組検知部１０１１から臨時番組の情報を取得し、リレー時刻になるのを待つ（ステップＳ５００７）。
【００５４】
リレー時刻になれば（ステップＳ５００７がＹ）、臨時番組選局部１０１２は、臨時番組を選局する指示を、受信部１００１に出し、受信部１００１は、臨時番組（一致しないタイトル名の番組）を選局する（ステップＳ５００８）。
【００５５】
以上により、本発明のデジタル放送受信制御装置１１１は、過去ＥＰＧデータと番組情報が一致しない番組を臨時番組と判断し、この臨時番組の開始時刻になると、臨時番組を放送するチャネルを選局し、臨時番組を出力することができる。これによって、緊急性の高い番組が割り込んでイベントリレーが発生した際に、緊急性の高い番組を放送するチャネルを自動選局することができ、視聴者が操作することなく、緊急性の高い番組を視聴することが可能となる。
【００５６】
（実施の形態２）
図３は、本発明の実施の形態２におけるデジタル放送受信制御装置を備えたデジタル放送受信装置の構成を示すブロック図である。
【００５７】
図３において、図１と同じ構成要素については同じ符号を用い、説明を省略する。
【００５８】
図３において、デジタル放送受信装置１０２は、アンテナ２００１に接続しており、放送局から放送されている番組を受信し、選局した番組の映像・音声を出力する。
【００５９】
デジタル放送受信装置１０２は、受信部（１００１、１００２）、ＴＳデコーダ（１００３、１００４）、ＡＶデコーダ１００５、セクションデコーダ１００６、映像・音声出力部１００７、デジタル放送受信制御装置１１２を備えている。
【００６０】
受信部１００２は、受信部１００１と同様に、ケーブルを介してアンテナ２００１に接続している。受信部１００２は、アンテナ２００１を介して受信したデジタル放送の中から、所定の周波数の電波を選択的に受信し、復調、エラー訂正等の処理を行い、ＴＳを生成し、ＴＳデコーダ１００４に送出する。デジタル放送は、放送局毎に割り振られた周波数のＴＳによって配信される。ＴＳには、複数のサービスが含まれていてもよい。各サービスは、それぞれの番組を放送している。
【００６１】
ＴＳデコーダ１００４は、受信部１００２から送出されるＴＳを、映像ストリーム、音声ストリーム、セクションデータに分離・再構成し、後段のＡＶデコーダ１００５およびセクションデコーダ１００６に送出する。また、ＴＳでコーダ１００４は、記録用のパーシャルＴＳを生成する。
【００６２】
デジタル放送受信制御装置１１２は、継続放送サービス検知部１０１８、番組情報取得部１００９、ＥＰＧデータ管理部１０１０、臨時番組検知部１０１１、臨時番組線局部１０１２、空き受信部管理部１０１３、裏サービス選局部１０１４を備えている。
【００６３】
次に、空き受信部管理部１０１３について示す。
【００６４】
空き受信部管理部１０１３は、受信部１００１と受信部１００２のうち、視聴に使われていない空き受信部がどちらであるかを管理している。
【００６５】
次に、継続放送サービス検知部１０１８について示す。
【００６６】
継続放送サービス検知部１０１８は、セクションデコーダ１００６から、ＥＩＴａ＿ｐｆ情報を受け取り、同じ内容の番組が異なるサービスで継続されるか否かを判断する。例えば、スポーツ中継など、中継の途中で放送が終わり、他のサービスにおいて継続して放送されるか否かを判断する。継続放送サービス検知部１０１８は、ＥＩＴａ＿ｐｆに含まれるイベントグループ記述子を用いて、継続放送サービスについての判断を行うことができる。イベントグループ記述子は、同じ内容の番組が他のサービスで継続されるか否かの情報である。
【００６７】
継続放送サービス検知部１０１８は、同じ内容の番組が、現在視聴中のＴＳとは異なるＴＳに属するサービスで継続されると判断した場合に、継続先の番組を選局するための情報を、裏サービス選局部１０１４に通知する。継続先の番組を選局するための情報とは、は、ネットワーク識別番号（ｏｒｉｇｉｎａｌ＿ｎｅｔｗｏｒｋ＿ｉｄ）、ＴＳ識別番号（ｔｒａｎｓｐｏｒｔ＿ｓｔｒｅａｍ＿ｉｄ）、チャンネル番号などである。また、継続放送サービス検知部１０１８は、同じ内容の番組が異なるサービスで継続されると判断した場合には、その番組の情報（継続先の番組の情報）を、番組情報取得部１００９に送出する。継続先の番組の情報とは、チャンネル番号と番組の識別番号などである。
【００６８】
次に、裏サービス選局部１０１４について示す。
【００６９】
裏サービス選局部１０１４は、継続放送サービス検知部１０１８からの通知を受け、空き受信部管理部１０１３に空き受信部を問い合わせ、視聴に使われていない受信部１００１または受信部１００２を決定する。裏サービス選局部１０１４は、継続放送サービス検知部１０１８から通知された継続先の番組を選局するための情報を用いて、視聴に使われていないと決定した受信部１００１または受信部１００２に対し、継続先の番組への選局を行う。なお、録画中など、受信部１００１と受信部１００２の両方が使用中である場合がある。この場合、裏サービス選局部１０１４は、空き受信部がないと決定する。
【００７０】
かかる構成によれば、デジタル放送受信制御装置１１２は、まず、継続放送サービス検知部１０１８が、継続放送サービスを検知する。継続放送サービスが検知され、継続先の番組が現在視聴中のＴＳとは異なるＴＳに属するサービスに存在した場合、継続放送サービス検知部１０１８は、裏サービス選局部１０１４に継続先の番組を選局するための情報を通知する。裏サービス選局部１０１４は、空き受信部管理部１０１３に空き受信部を問い合わせ、視聴に使われていない受信部１００１または受信部１００２を決定する。裏サービス選局部１０１４は、継続先の番組を選局するための情報を用いて、視聴に使われていない受信部１００１または受信部１００２に対し選局を行う。選局された受信部から出力されるＴＳを、ＴＳデコーダ１００３またはＴＳデコーダ１００４、および、セクションデコーダ１００６を経由して、番組情報取得部１００９が、継続先の番組とその裏番組の番組情報を取得する。次に、臨時番組検知部１０１１は、番組情報取得部１００９が取得した継続先の番組とその裏番組の番組情報と、ＥＰＧデータ管理部１０１０によってされている過去ＥＰＧデータ上で、継続先の番組の開始時刻と終了時刻において放送する予定になっている番組の番組情報とを、比較する。番組情報が一致しない番組（臨時番組）を検知した場合、臨時番組選局部１０１２は、臨時番組開始時刻になると、臨時番組を放送するチャネルを選局することができる。
【００７１】
これによって、緊急性の高い番組が急に割り込んだことでＴＳをまたがったイベントリレーが発生した際に、緊急性の高い番組を放送するチャネルを自動選局することができ、視聴者が操作することなく、緊急性の高い番組を視聴することが可能となる。
【００７２】
図４は、本発明の実施の形態２におけるデジタル放送受信制御装置を備えたデジタル放送受信装置の制御フローを示す図である。
【００７３】
図４において、まず、受信部１００１が、アンテナを介してデジタル放送を受信し、処理を開始する。
【００７４】
ＴＳデコーダ１００３は、受信部１００１から送出されるＴＳを、セクションデータ（ＥＩＴ）に分離し、セクションデコーダ１００６が、ＥＩＴをデコードして、ＥＰＧデータ管理部１０１０に送出する。ＥＰＧデータ管理部１０１０は、受け取ったＥＩＴを用いて、ＥＰＧデータを構築することで、各サービスのＥＰＧデータを取得する（ステップＳ５１０１）。ＥＰＧデータ管理部１０１０は、現時刻以降の最新の内容に更新された現在ＥＰＧデータと、一定時間前に構築されていた過去ＥＰＧデータとを、保持する。
【００７５】
次に、ＴＳデコーダ１００３は、受信中のＴＳからＥＩＴのうち、ＥＩＴａ＿ｐｆを取得し、セクションデコーダ１００６へ送出する。セクションデコーダ１００６は、受け取ったＥＩＴａ＿ｐｆをデコードし、継続放送サービス検知部１０１８と番組情報取得部１００９に送出する（ステップＳ５１０２）。
【００７６】
継続放送サービス検知部１０１８は、受け取ったＥＩＴａ＿ｐｆを用いて、イベントグループ記述子があるかどうかを判別する（ステップＳ５１０３）。継続放送サービス検知部１０１は、イベントグループ記述子がある場合に（ステップＳ５１０３がＹ）、イベントリレーが起こると判断し、ステップ５１０４に遷移する。一方、イベントグループ記述子がない場合（ステップＳ５１０３がＮ）、ステップＳ５１０２の処理に戻り、処理を繰り返す。
【００７７】
次に、継続放送サービス検知部１０１８は、イベントグループ記述子に記述されているリレー先番組の情報をもとに、リレー先番組が現在視聴中のＴＳとは異なるＴＳに属するサービスに存在するか否かを判定する（ステップＳ５１０４）。
【００７８】
リレー先番組が現在視聴中のＴＳと同じサービスに存在する場合（ステップＳ５１０４がＮ）、継続放送サービス検知部１０１８は、イベントグループ記述子に記述されているリレー先番組の情報（継続先の番組の情報）を、番組情報取得部１００９に送出する。番組情報取得部１００９は、セクションデコーダ１００６から受け取った情報と、継続放送サービス検知部１００８から受け取った情報をもとに、リレー先番組およびリレー先番組の裏番組の番組情報を取得し（ステップＳ５１０５）、ステップＳ５１０９に遷移する。なお、ここでは、番組情報として、番組タイトル名を取得するものとする。
【００７９】
一方、リレー先番組が現在視聴中のＴＳとは異なるサービスに存在する場合（ステップＳ５１０４がＹ）、継続放送サービス検知部１０１８は、裏サービス選局部１０１４にリレー先番組を選局するための情報を通知する。裏サービス選局部１０１４は、継続放送サービス検知部１０１８からの通知を受け、空き受信部管理部１０１３に空き受信部を問い合わせる（ステップＳ５１０６）。空き受信部がない場合（ステップＳ５１０６がＮ）、処理を終了し、空き受信部がある場合（ステップＳ５１０６がＹ）、ステップＳ５１０７に遷移する。
【００８０】
裏サービス選局部１０１４は、継続放送サービス検知部１０１８から通知されたリレー先番組を選局するための情報を用いて、視聴に使われていない受信部１００１または受信部１００２に対し、継続先の番組への選局を行う（ステップＳ５１０７）。ステップＳ５１０７で選局された受信部から出力されるＴＳは、ＴＳデコーダ１００３またはＴＳデコーダ１００４を介して、セクションデコーダ１００６に通知される。セクションデコーダ１００６は、ＥＩＴａ＿ｐｆ情報を、番組情報取得部１００９に通知する。
【００８１】
番組情報取得部１００９は、セクションデコーダ１００６から受け取った情報と、継続放送サービス検知部１００８から受け取った情報をもとに、リレー先番組およびリレー先番組の裏番組の番組情報を取得し（ステップＳ５１０８）、ステップＳ５１０９に遷移する。
【００８２】
臨時番組検知部１０１１は、番組情報取得部１００９から、リレー先番組およびリレー先番組の裏番組の番組タイトル名を受け取る。次に、臨時番組検知部１０１１は、ＥＰＧデータ管理部１０１０で管理されている過去ＥＰＧデータ上で、リレー先番組の開始時刻と終了時刻において放送する予定になっている番組の番組情報（番組タイトル名）を取得する。臨時番組検知部１０１１は、番組情報取得部１００９から受け取った番組タイトル名と、過去ＥＰＧデータ上の番組タイトル名とを比較する（Ｓ５１０９）。
【００８３】
比較した結果、リレー先番組とリレー先番組の裏番組の番組タイトル名とで、全てが一致する場合（ステップＳ５１１０がＮ）、臨時番組検知部１０１１は、臨時番組は放送されないと判断し、処理を終了する。
【００８４】
一致しない番組がある場合（ステップＳ５１１０がＹ）、臨時番組検知部１０１１は、一致しない番組を臨時番組と判断し、臨時番組選局部１０１２に通知する。臨時番組選局部１０１２は、臨時番組検知部１０１１から臨時番組の情報を取得し、リレー時刻になるのを待つ（ステップＳ５１１１）。
【００８５】
リレー時刻になれば（ステップＳ５１１１がＹ）、臨時番組選局部１０１２は、臨時番組を選局する指示を出し、臨時番組（一致しないタイトル名の番組）を選局する（ステップＳ５１１２）。
【００８６】
以上により、本発明のデジタル放送受信制御装置１１２は、過去ＥＰＧデータと番組情報が一致しない番組を臨時番組と判断し、この臨時番組の開始時刻になると、臨時番組を放送するチャネルを選局し、臨時番組を出力することができる。これによって、緊急性の高い番組が割り込んでＴＳをまたがったイベントリレーが発生した際に、緊急性の高い番組を放送するチャネルを自動選局することができ、視聴者が操作することなく、緊急性の高い番組を視聴することが可能となる。
【００８７】
（実施の形態３）
図５は、本発明の実施の形態３におけるデジタル放送受信制御装置を備えたデジタル放送受信装置の構成を示すブロック図である。
【００８８】
図５において、図３と同じ構成要素については同じ符号を用い、説明を省略する。
【００８９】
図５において、デジタル放送受信装置１０３は、アンテナ２００１に接続しており、放送局から放送されている番組を受信し、選局した番組の映像・音声を出力する。
【００９０】
デジタル放送受信装置１０３は、受信部（１００１、１００２）、ＴＳデコーダ（１００３、１００４）、ＡＶデコーダ１００５、セクションデコーダ１００６、映像・音声出力部１００７、デジタル放送受信制御装置１１３を備えている。
【００９１】
デジタル放送受信制御装置１１３は、継続放送サービス検知部１０１８、番組情報取得部１００９、ＥＰＧデータ管理部１０１０、臨時番組検知部１０１９、臨時番組線局部１０１２、空き受信部管理部１０１３、裏サービス選局部１０１４、番組記録部１０１５、臨時番組裏番組線局部１０１６を備えている。
【００９２】
臨時番組検知部１０１９は、番組情報取得部１００９から、継続先の番組とその裏番組の番組情報（例えば番組タイトル名）を受け取る。これら番組情報は、最新の情報である。
【００９３】
臨時番組検知部１０１９は、ＥＰＧデータ管理部１０１０で管理されている過去ＥＰＧデータ上で、継続先の番組の開始時刻と終了時刻において放送する予定になっている番組の番組情報を取得する。つまり、臨時番組検知部１０１９は、継続先の番組とその裏番組が属するサービスで放送される番組の番組情報を取得する。これら番組情報は、過去ＥＰＧデータに対応した、過去の情報である。
【００９４】
臨時番組検知部１０１９は、これらそれぞれの番組情報を比較し、継続先の番組とその裏番組の番組情報と一致しないものがあるかどうかを判定し、一致しない番組を臨時番組として検知する。臨時番組検知部１０１９は、臨時番組選局部１０１２に、臨時番組の情報を通知し、臨時番組裏番組選局部１０１６に、臨時番組検知部１０１１から臨時番組の裏番組の情報を通知する。なお、臨時番組選局部１０１２に通知する情報は、臨時番組の開始時刻と、臨時番組のチャンネル番号などの情報である。また、臨時番組裏番組選局部１０１６に通知する情報は、臨時番組の裏番組を選局するための情報であり、臨時番組の開始時刻と、臨時番組の裏番組のチャネル番号などの情報である。また、現在視聴中のＴＳとは異なるＴＳに属するサービスで継続されると判断した場合、番組を選局するための情報とは、ネットワーク識別番号（ｏｒｉｇｉｎａｌ＿ｎｅｔｗｏｒｋ＿ｉｄ）、ＴＳ識別番号（ｔｒａｎｓｐｏｒｔ＿ｓｔｒｅａｍ＿ｉｄ）、チャンネル番号などである。
【００９５】
次に、臨時番組裏番組選局部１０１６について示す。
【００９６】
臨時番組裏番組選局部１０１６は、臨時番組検知部１０１９から臨時番組の裏番組の番組情報を取得し、継続先の番組の開始時刻になると、視聴に使われてない空き受信部（受信部１００１または受信部１００２）に対し、臨時番組の裏番組の選局を行う。この後、臨時番組裏番組選局部１０１６は、番組記録部１０１５に、裏番組の記録を指示する。臨時番組裏番組選局部１０１６は、空き受信部管理部１０１３に問い合わせ、視聴に使われていない空き受信部を決定する、なお、録画中など、受信部１００１と受信部１００２の両方が使用中である場合がある。この場合、臨時番組裏番組選局部１０１６は、空き受信部管理部１０１３から、継続先の番組の開示時刻に空き受信部がないと通知され、裏番組のサービスの記録を行わない。
【００９７】
番組記録部１０１５は、臨時番組裏番組選局部１０１６からの記録の指示を受け、臨時番組の裏番組のサービスの記録用パーシャルＴＳを記録する。臨時番組裏番組選局部１０１６からの指示には、裏番組に選局した受信部１００１または受信部１００２の出力であるＴＳを入力とするデコーダ１００３またはデコーダ１００４のどちらが出力するパーシャルＴＳを記録するかが指示されている。
【００９８】
かかる構成によれば、デジタル放送受信制御装置１１３は、まず、臨時番組裏番組選局部１０１６が、継続先の番組の開始時刻に、視聴に使われてない空き受信部へ臨時番組の裏番組の選局を行う。同時に、番組記録部１０１５が、この選局で用いられるデコーダ１００３あるいはデコーダ１００４のいずれかが出力する臨時番組の裏番組のサービスの記録用パーシャルＴＳを記録する。
【００９９】
これによって、緊急性の高い番組が急に割り込んだことでＴＳをまたがるイベントリレーまたはＴＳをまたがらないイベントリレーが発生した際に、緊急性の高い番組を放送するチャネルを自動選局することができ、視聴者が操作することなく、緊急性の高い番組を視聴し、かつ、緊急性の高い番組の裏番組を同時に記録することが可能となる。
【０１００】
図６は、本発明の実施の形態３におけるデジタル放送受信制御装置を備えたデジタル放送受信装置の制御フローを示す図である。
【０１０１】
図６において、まず、受信部１００１が、アンテナを介してデジタル放送を受信し、処理を開始する。
【０１０２】
ＴＳデコーダ１００３は、受信部１００１から送出されるＴＳを、セクションデータ（ＥＩＴ）に分離し、セクションデコーダ１００６が、ＥＩＴをデコードして、ＥＰＧデータ管理部１０１０に送出する。ＥＰＧデータ管理部１０１０は、受け取ったＥＩＴを用いて、ＥＰＧデータを構築することで、各サービスのＥＰＧデータを取得する（ステップＳ５２０１）。ＥＰＧデータ管理部１０１０は、現時刻以降の最新の内容に更新された現在ＥＰＧデータと、一定時間前に構築されていた過去ＥＰＧデータとを、保持する。
【０１０３】
次に、ＴＳデコーダ１００３は、受信中のＴＳからＥＩＴのうち、ＥＩＴａ＿ｐｆを取得し、セクションデコーダ１００６へ送出する。セクションデコーダ１００６は、受け取ったＥＩＴａ＿ｐｆをデコードし、継続放送サービス検知部１０１８と番組情報取得部１００９に送出する（ステップＳ５２０２）。
【０１０４】
継続放送サービス検知部１０１８は、受け取ったＥＩＴａ＿ｐｆを用いて、イベントグループ記述子があるかどうかを判別する（ステップＳ５２０３）。継続放送サービス検知部１０１は、イベントグループ記述子がある場合に（ステップＳ５２０３がＹ）、イベントリレーが起こると判断し、ステップ５２０４に遷移する。一方、イベントグループ記述子がない場合（ステップＳ５２０３がＮ）、ステップＳ５２０２の処理に戻り、処理を繰り返す。
【０１０５】
次に、継続放送サービス検知部１０１８は、イベントグループ記述子に記述されているリレー先番組の情報をもとに、リレー先番組が現在視聴中のＴＳとは異なるＴＳに属するサービスに存在するか否かを判定する（ステップＳ５２０４）。
【０１０６】
リレー先番組が現在視聴中のＴＳと同じサービスに存在する場合（ステップＳ５２０４がＮ）、継続放送サービス検知部１０１８は、イベントグループ記述子に記述されているリレー先番組の情報（継続先の番組の情報）を、番組情報取得部１００９に送出する。番組情報取得部１００９は、セクションデコーダ１００６から受け取った情報と、継続放送サービス検知部１００８から受け取った情報をもとに、リレー先番組およびリレー先番組の裏番組の番組情報を取得し（ステップＳ５２０５）、ステップＳ５２０９に遷移する。なお、ここでは、番組情報として、番組タイトル名を取得するものとする。
【０１０７】
一方、リレー先番組が現在視聴中のＴＳとは異なるサービスに存在する場合（ステップＳ５２０４がＹ）、継続放送サービス検知部１０１８は、裏サービス選局部１０１４にリレー先番組を選局するための情報を通知する。裏サービス選局部１０１４は、継続放送サービス検知部１０１８からの通知を受け、空き受信部管理部１０１３に空き受信部を問い合わせる（ステップＳ５２０６）。空き受信部がない場合（ステップＳ５２０６がＮ）、処理を終了し、空き受信部がある場合（ステップＳ５２０６がＹ）、ステップＳ５２０７に遷移する。
【０１０８】
裏サービス選局部１０１４は、継続放送サービス検知部１０１８から通知されたリレー先番組を選局するための情報を用いて、視聴に使われていない受信部１００１または受信部１００２に対し、継続先の番組への選局を行う（ステップＳ５２０７）。選局された受信部から出力されるＴＳは、ＴＳデコーダ１００３またはＴＳデコーダ１００４を介して、セクションデコーダ１００６に通知される。セクションデコーダ１００６は、ＥＩＴａ＿ｐｆ情報を、番組情報取得部１００９に通知する。
【０１０９】
番組情報取得部１００９は、セクションデコーダ１００６から受け取った情報と、継続放送サービス検知部１００８から受け取った情報をもとに、リレー先番組およびリレー先番組の裏番組の番組情報を取得し（ステップＳ５２０８）、ステップＳ５２０９に遷移する。
【０１１０】
臨時番組検知部１０１９は、番組情報取得部１００９から、リレー先番組およびリレー先番組の裏番組の番組タイトル名を受け取る。次に、臨時番組検知部１０１９は、ＥＰＧデータ管理部１０１０で管理されている過去ＥＰＧデータ上で、リレー先番組の開始時刻と終了時刻において放送する予定になっている番組の番組情報（番組タイトル名）を取得する。臨時番組検知部１０１９は、番組情報取得部１００９から受け取った番組タイトル名と、過去ＥＰＧデータ上の番組タイトル名とを比較する（Ｓ５２０９）。
【０１１１】
比較した結果、リレー先番組とリレー先番組の裏番組の番組タイトル名とで、全てが一致する場合（ステップＳ５２１０がＮ）、臨時番組検知部１０１９は、臨時番組は放送されないと判断し、処理を終了する。
【０１１２】
一致しない番組がある場合（ステップＳ５２１０がＹ）、臨時番組検知部１０１９は、一致しない番組を臨時番組と判断し、臨時番組選局部１０１２と臨時番組裏番組選局部１０１６に通知する。臨時番組選局部１０１２は、臨時番組検知部１０１９から臨時番組の情報を取得し、臨時番組裏番組選局部１０１８は、臨時番組検知部１０１９から臨時番組の裏番組の番組情報を取得し、リレー時刻になるのを待つ（ステップＳ５２１１）。
【０１１３】
リレー時刻になれば（ステップＳ５２１１がＹ）、臨時番組選局部１０１２は、臨時番組を選局する指示を出し、臨時番組（一致しないタイトル名の番組）を選局する（ステップＳ５２１２）。
【０１１４】
臨時番組裏番組選局部１０１６は、空き受信部管理部１０１３に空き受信部を問い合わせる（ステップＳ５２１３）。空き受信部がない場合（ステップＳ５２１３がＮ）、処理を終了し、空き受信部がある場合（ステップＳ５２１３がＹ）、ステップＳ５２１４に遷移する。
【０１１５】
臨時番組裏番組選局部１０１６は、臨時番組検知部１０１９から臨時番組の裏番組を選局するための情報を用いて、視聴に使われていない受信部１００１または受信部１００２に対し、裏番組への選局を行う。番組記録部１０１５は、選局された受信部から出力されるＴＳを受け取るＴＳデコーダ１００３またはＴＳデコーダ１００４が出力するパーシャルＴＳを、記録する（ステップＳ５２１４）。これにより、番組記録部１０１５は、臨時番組の裏番組のパーシャルＴＳを記録することになる。
【０１１６】
以上により、本発明のデジタル放送受信制御装置１１３は、過去ＥＰＧデータと番組情報が一致しない番組を臨時番組と判断し、この臨時番組の開始時刻になると、臨時番組を放送するチャネルを選局し、臨時番組を出力し、かつ、臨時番組の裏番組を同時に記録することができる。これによって、緊急性の高い番組が割り込んでＴＳをまたがったイベントリレーが発生した際に、緊急性の高い番組を放送するチャネルを自動選局することができ、視聴者が操作することなく、緊急性の高い番組を視聴することが可能となる。
【０１１７】
なお、本発明の実施の形態１乃至３において、臨時番組放送中は、臨時番組を確実に視聴させるために、デジタル放送受信装置本体のキー入力やリモコンなどのキー入力を受け付けないようにしてもよい。
【０１１８】
なお、本発明の実施の形態１乃至３において、映像・音声出力部は、映像を表示する画像表示デバイスと音声を出力するスピーカー等を含めたものと想定して記述している。本発明のデジタル放送受信装置は、画像表示デバイスやスピーカー等を持たないチューナー単体装置、チューナー内蔵ＨＤＤレコーダーなどの装置などに応用することができる。
【０１１９】
なお、本発明の実施の形態１乃至３において、ここでは番組記録装置が内蔵されているデジタル放送受信装置を想定しているが、番組記録装置のみがデジタル放送受信装置の外部に外部機器として接続し、外部機器に記録してもよい。
【産業上の利用可能性】
【０１２０】
本発明にかかるデジタル放送受信制御装置は、ＥＰＧデータを用いて臨時番組を判断し、臨時番組の開始時刻になると、臨時番組を放送するチャネルを選局する機能を有し、ＴＶ受像機などのＡＶ機器として有用である。また、放送受信機能を有する携帯電話や、携帯情報端末、ＰＣ機器などの用途にも応用できる。
【符号の説明】
【０１２１】
１０１，１０２，１０３    デジタル放送受信装置
１１１，１１２，１１３    デジタル放送受信制御装置
１００１，１００２    受信部
１００３，１００４    ＴＳデコーダ
１００５    ＡＶデコーダ
１００６    セクションデコーダ
１００７    映像・音声出力部
１００８，１０１８    継続放送サービス検知部
１００９    番組情報取得部
１０１０    ＥＰＧデータ管理部
１０１１，１０１９    臨時番組検知部
１０１２    臨時番組選局部
１０１３    空き受信部管理部
１０１４    裏サービス選局部
１０１５    番組記録部
１０１６    臨時番組裏番組選局部
２００１    アンテナ
【図１】
2011139248.tif 000003
【図２】
2011139248.tif 000004
【図３】
2011139248.tif 000005
【図４】
2011139248.tif 000006
【図５】
2011139248.tif 000007
【図６】
2011139248.tif 000008
【図７】
2011139248.tif 000009